(57)【要約】【課題】患者の拘束時間を短縮しつつ、医師の拘束時間も延長しないようにした画像データ転送システムを提供する。【解決手段】Ｘ線平面検出器４は、測定すべき対象に照射されたＸ線を撮影して画像データに変換するＸ線撮影部４ａと、画像データを分割する画像分割部４ｃと、分割された画像データを外部へと転送する画像転送部４ｄとを有し、画像分割部４ｃは、縦横複数の画素からなる前記画像データに対して、少なくとも、縦（１／２ｍ）の画素、横（１／２ｎ）の画素（ｍ，ｎは任意の自然数）からなる間引き画像データに分割し、画像転送部４ｄは、少なくとも、間引き画像データ、及び撮影された画像データから間引き画像データと重複していない差分データを転送する。【選択図】図２
2011217264.tif 000002
【特許請求の範囲】
【請求項１】
測定すべき対象に照射されたＸ線を撮影して画像データに変換するＸ線撮影部と、
前記画像データを分割する画像分割部と、
前記分割された画像データを外部へと転送する画像転送部とを有するＸ線平面検出器であって、
前記画像分割部は、縦横複数の画素からなる前記画像データに対して、少なくとも、縦（１／ｍ）の画素、横（１／ｎ）の画素（ｍ，ｎは２以上の任意の自然数）からなる間引き画像データに分割し、
前記画像転送部は、少なくとも、前記間引き画像データ、及び前記撮影された画像データから前記間引き画像データと重複していない差分データを外部へ別々に転送することを特徴とするＸ線平面検出器。
【請求項２】
測定すべき対象に照射されたＸ線を撮影して画像データに変換するＸ線撮影部と、
前記画像データを分割する画像分割部と、
前記分割された画像データを外部へと転送する画像転送部とを有するＸ線平面検出器であって、
前記画像分割部は、縦横複数の画素からなる前記画像データに対して、少なくとも、縦（１／２ｍ）の画素、横（１／２ｎ）の画素（ｍ，ｎは任意の自然数）からなる間引き画像データに分割し、
前記画像転送部は、少なくとも、前記間引き画像データ、及び前記撮影された画像データから前記間引き画像データと重複していない差分データを外部へ別々に転送することを特徴とするＸ線平面検出器。
【請求項３】
測定すべき対象に照射されたＸ線を撮影して画像データに変換するＸ線撮影部と、
前記画像データを分割する画像分割部と、
前記分割された画像データを外部へと転送する画像転送部とを有するＸ線平面検出器、及び
前記線平面検出器より画像データを受信する外部機器を備えた画像データ転送システムであって、
前記Ｘ線平面検出器の画像分割部は、縦横複数の画素からなる前記画像データに対して、少なくとも、縦（１／ｍ）の画素、横（１／ｎ）の画素（ｍ，ｎは２以上の任意の自然数）からなる間引き画像データに分割し、
前記外部機器は、少なくとも、前記間引き画像データ、及び前記撮影された画像データから前記間引き画像データと重複していない差分データを受信することを特徴とする画像データ転送システム。
【請求項４】
測定すべき対象に照射されたＸ線を撮影して画像データに変換するＸ線撮影部と、
前記画像データを分割する画像分割部と、
前記分割された画像データを外部へと転送する画像転送部とを有するＸ線平面検出器、及び
前記線平面検出器より画像データを受信する外部機器を備えた画像データ転送システムであって、
前記Ｘ線平面検出器の画像分割部は、縦横複数の画素からなる前記画像データに対して、少なくとも、縦（１／２ｍ）の画素、横（１／２ｎ）の画素（ｍ，ｎは任意の自然数）からなる間引き画像データに分割し、
前記外部機器は、少なくとも、前記間引き画像データ、及び前記撮影された画像データから前記間引き画像データと重複していない差分データを受信することを特徴とする画像データ転送システム。
【請求項５】
測定すべき対象に照射されたＸ線を撮影して画像データに変換するＸ線撮影工程と、
前記画像データを分割する画像データ分割工程と、
前記分割された画像データを外部へと転送する画像データ転送工程とを有する画像データ転送方法であって、
前記画像データ分割工程は、縦横複数の画素からなる前記画像データに対して、縦１／２，１／３，…１／ｍの画素、横１／２，１／３，…１／ｎの画素（ｍ，ｎは任意の自然数）からなる間引き画像データを作成し、
前記画像データ転送工程は、最初に最小画像である（１／ｍ）×（１／ｎ）からなる画像データを外部へ転送後、次に（１／（ｍ−１））×（１／（ｎ−１））画像から既に転送した（１／ｍ）×（１／ｎ）画像と重複していない差分データを転送し、更に（１／（ｍ−２））×（１／（ｎ−２））画像から既に転送した画像と重複していない差分データを転送し、これらを順次繰り返して、最後に（１／１）×（１／１）画像の差分データを転送することを特徴とする画像データ転送方法。
【請求項６】
測定すべき対象に照射されたＸ線を撮影して画像データに変換するＸ線撮影工程と、
前記画像データを分割する画像データ分割工程と、
前記分割された画像データを外部へと転送する画像データ転送工程とを有する画像データ転送方法であって、
前記画像データ分割工程は、縦横複数の画素からなる前記画像データに対して、縦１／２，１／４，…１／２ｍの画素、横１／２，１／４，…１／２ｎの画素（ｍ，ｎは任意の自然数）からなる間引き画像データを作成し、
前記画像データ転送工程は、最初に最小画像である（１／２ｍ）×（１／２ｎ）からなる画像データを外部へ転送後、次に（１／２ｍ−１）×（１／２ｎ−１）画像から既に転送した（１／２ｍ）×（１／２ｎ）画像と重複していない差分データを転送し、更に（１／２ｍ−２）×（１／２ｎ−２）画像から既に転送した画像と重複していない差分データを転送し、これらを順次繰り返して、最後に（１／１）×（１／１）画像の差分データを転送することを特徴とする画像データ転送方法。
【発明の詳細な説明】
【技術分野】
【０００１】
本発明は、外部装置との間で画像データの転送を行うＸ線平面検出器、そのＸ線平面検出器を用いた画像データ転送システム及び画像データ転送方法に関する。
【背景技術】
【０００２】
Ｘ線診断で用いられてきたＸ線フィルムに代わり、現像が不要で瞬時に高解像度のＸ線画像を見ることができるＸ線平面検出器(Flat Panel Detector、以下、「ＦＰＤ」と記す場合もある)が開発されている（例えば、特許文献１参照）。
【０００３】
このＸ線平面検出器の画像はデジタルデータであるため、コンピュータや通信ネットワークによる電子ファイルでのデータ保存、データ送信が可能となる。このため、医師と患者にとって有用な新しい医療システムのＩＴ（情報技術）化が推進するものと考えられる。
【０００４】
図５に、従来の画像データ転送システムの構成例を示す。
【０００５】
この画像データ転送システム５０は、患者診察室１内に、Ｘ線を発生させるＸ線発生器３と、患者を通過したＸ線を検出して画像データとするＸ線平面検出器８と、Ｘ線発生器３で発生させるＸ線をコントロールするＸ線コントローラ５とを備え、他方、患者診察室１とは別室に設けられた医師診断室２内に、Ｘ線平面検出器８から転送された画像データを受信して表示等する外部機器６と、外部機器６と接続されＸ線コントローラ５を制御する制御装置７とを備えている。また、Ｘ線平面検出器８から出力される画像データは、ＬＡＮケーブル、光ファイバなどの有線、又は無線ＬＡＮなどの無線によって医師診断室２に設けられた外部機器６へ転送されるように構成されている。
【０００６】
また、Ｘ線平面検出器８は、その内部に、図６に示すように、撮影したＸ線を画像データへと変換するＸ線撮影部８ａと、その画像データを蓄積する画像蓄積部８ｂと、蓄積された画像データを外部機器６へと転送する画像転送部８ｃとを有している。
【０００７】
図７に、従来の画像データ転送システム５０の処理手順を示す。
【０００８】
先ず、Ｘ線発生器３は患者へ向けてＸ線を発生し、Ｘ線平面検出器８のＸ線撮影部８ａは患者を通して入射したＸ線の撮影を行い、画像データへと変換する（ステップＳ５１）。
【０００９】
次に、画像蓄積部８ｂは、その画像データを蓄積する（ステップＳ５２）。
【００１０】
更に、画像転送部８ｃは、その全（フル）画像データを外部機器６へ転送し（ステップＳ５３）、外部機器６は、画像データを再構成して画像表示を行う（ステップＳ５４）。
【００１１】
次に、医師がこの撮影画像に問題ないかを検討し（ステップＳ５５）、撮影画像に問題ない場合は、ステップＳ５６で患者を解放し、撮影画像に問題ある場合は、制御装置７によりＸ線コントローラ５を制御して再度Ｘ線発生器３からＸ線を発生させ、ステップＳ５１からステップＳ５５を繰り返す。
【００１２】
最後に、ステップＳ５７で撮影画像の詳細部を検証して終了する。
【００１３】
このような処理手順において、画像データは、Ｘ線平面検出器８内部の画像蓄積部８ｂに一旦蓄積されるが、この画像データは一枚当たりの情報量が数ギガバイト〜数十ギガバイトと巨大なサイズとなる。このため、外部機器６へ画像データを転送する際に、データ転送の流れが滞る所謂「ボトルネック」が発生する可能性がある。もしボトルネックが発生した場合は、Ｘ線撮影から外部機器６にて撮影画像を閲覧するまでの間にタイムラグが生じてしまう。
【００１４】
また、Ｘ線撮影される患者は、図７に示すように、ステップＳ５１からステップＳ５５までの間は拘束されるため、患者の負担を考えるとステップＳ５５において撮影が成功したか、それとも撮り直す必要があるかを早期に見極める必要がある。
【００１５】
この観点から、図７において、ステップＳ５５の時点では撮影画像の全体像が大まかに見えれば撮影成功是非の判断には十分であり、画像の詳細までは必ずしも必要とされないと考えられる。その場合、ステップＳ５３の時点で転送する画像は、縮小画像でも構わないことになる。データ量の少ない縮小画像のみ転送すればボトルネックによる影響の度合いは低減されるため、患者を拘束する時間を短縮することが可能になる。
【００１６】
一方、ステップＳ５７で撮影画像の詳細部を検証する際には、画像の詳細部が必要となるため、縮小されていないフル画像が別途必要となる。
【００１７】
このため、図８に示すように、図６のＸ線平面検出器８の画像蓄積部８ｂと画像転送部８ｃとの間に、縮小画像データを作成する機能を有する画像縮小部８ｄを新たに追加したＸ線平面検出器８’を用い、図９に示すような処理手順で画像データ転送を行うことが考えられる。
【００１８】
即ち、図９に示す処理手順では、図７のステップＳ５３に代えて、ステップＳ５３’として縮小画像データを転送し、更に、図７のステップＳ５６とステップＳ５７の間に、ステップＳ５６’としてフル画像データを転送するものである。
【先行技術文献】
【特許文献】
【００１９】
【特許文献１】特開２００９−１２８０２３号公報
【発明の概要】
【発明が解決しようとする課題】
【００２０】
しかしながら、図９の画像転送方法では、図７の画像転送方法と比べると、患者を拘束する時間は短縮されるものの、患者を解放した後のステップＳ５６’において、図７のステップＳ５３で行っていたフル画像データの転送を行っているため、全体として見ればステップＳ５３’の縮小画像データの転送分の時間が余分に追加されたこととなる。このため、医師の拘束時間と、医療装置システムの一回当たりの作業時間はむしろ延びることになってしまう。
【００２１】
本発明は、上記課題に鑑みてなされたものであり、患者の拘束時間を短縮しつつ、医師の拘束時間も延長しないようにしたＸ線平面検出器、そのＸ線平面検出器を用いた画像データ転送システム及び画像データ転送方法を提供することを目的とする。
【課題を解決するための手段】
【００２２】
上述の目的を達成するため、本発明のＸ線平面検出器は、測定すべき対象に照射されたＸ線を撮影して画像データに変換するＸ線撮影部と、前記画像データを分割する画像分割部と、前記分割された画像データを外部へと転送する画像転送部とを有するＸ線平面検出器であって、前記画像分割部は、縦横複数の画素からなる前記画像データに対して、少なくとも、縦（１／ｍ）の画素、横（１／ｎ）の画素（ｍ，ｎは任意の自然数）からなる間引き画像データに分割し、前記画像転送部は、少なくとも、前記間引き画像データ、及び前記撮影された画像データから前記間引き画像データと重複していない差分データを外部へ別々に転送することを特徴とする。
【００２３】
また、本発明のＸ線平面検出器は、測定すべき対象に照射されたＸ線を撮影して画像データに変換するＸ線撮影部と、前記画像データを分割する画像分割部と、前記分割された画像データを外部へと転送する画像転送部とを有するＸ線平面検出器であって、前記画像分割部は、縦横複数の画素からなる前記画像データに対して、少なくとも、縦（１／２ｍ）の画素、横（１／２ｎ）の画素（ｍ，ｎは任意の自然数）からなる間引き画像データに分割し、前記画像転送部は、少なくとも、前記間引き画像データ、及び前記撮影された画像データから前記間引き画像データと重複していない差分データを外部へ別々に転送することを特徴とする。
【００２４】
また、上述の目的を達成するため、本発明の画像データ転送システムは、測定すべき対象に照射されたＸ線を撮影して画像データに変換するＸ線撮影部と、前記画像データを分割する画像分割部と、前記分割された画像データを外部へと転送する画像転送部とを有するＸ線平面検出器、及び前記線平面検出器より画像データを受信する外部機器を備えた画像データ転送システムであって、前記Ｘ線平面検出器の画像分割部は、縦横複数の画素からなる前記画像データに対して、少なくとも、縦（１／ｍ）の画素、横（１／ｎ）の画素（ｍ，ｎは任意の自然数）からなる間引き画像データに分割し、前記外部機器は、少なくとも、前記間引き画像データ、及び前記撮影された画像データから前記間引き画像データと重複していない差分データを受信することを特徴とする。
【００２５】
また、本発明の画像データ転送システムは、測定すべき対象に照射されたＸ線を撮影して画像データに変換するＸ線撮影部と、前記画像データを分割する画像分割部と、前記分割された画像データを外部へと転送する画像転送部とを有するＸ線平面検出器、及び前記線平面検出器より画像データを受信する外部機器を備えた画像データ転送システムであって、前記Ｘ線平面検出器の画像分割部は、縦横複数の画素からなる前記画像データに対して、少なくとも、縦（１／２ｍ）の画素、横（１／２ｎ）の画素（ｍ，ｎは任意の自然数）からなる間引き画像データに分割し、前記外部機器は、少なくとも、前記間引き画像データ、及び前記撮影された画像データから前記間引き画像データと重複していない差分データを受信することを特徴とする。
【００２６】
更に、上述の目的を達成するため、本発明の画像データ転送方法は、測定すべき対象に照射されたＸ線を撮影して画像データに変換するＸ線撮影工程と、前記画像データを分割する画像データ分割工程と、前記分割された画像データを外部へと転送する画像データ転送工程とを有する画像データ転送方法であって、前記画像データ分割工程は、縦横複数の画素からなる前記画像データに対して、縦１／２，１／３，…１／ｍの画素、横１／２，１／３，…１／ｎの画素（ｍ，ｎは任意の自然数）からなる間引き画像データを作成し、前記画像データ転送工程は、最初に最小画像である（１／ｍ）×（１／ｎ）からなる画像データを外部へ転送後、次に（１／（ｍ−１））×（１／（ｎ−１））画像から既に転送した（１／ｍ）×（１／ｎ）画像と重複していない差分データを転送し、更に（１／（ｍ−２））×（１／（ｎ−２））画像から既に転送した画像と重複していない差分データを転送し、これらを順次繰り返して、最後に（１／１）×（１／１）画像の差分データを転送することを特徴とする。
【００２７】
また、本発明の画像データ転送方法は、測定すべき対象に照射されたＸ線を撮影して画像データに変換するＸ線撮影工程と、前記画像データを分割する画像データ分割工程と、前記分割された画像データを外部へと転送する画像データ転送工程とを有する画像データ転送方法であって、前記画像データ分割工程は、縦横複数の画素からなる前記画像データに対して、縦１／２，１／４，…１／２ｍの画素、横１／２，１／４，…１／２ｎの画素（ｍ，ｎは任意の自然数）からなる間引き画像データを作成し、  前記画像データ転送工程は、最初に最小画像である（１／２ｍ）×（１／２ｎ）からなる画像データを外部へ転送後、次に（１／２ｍ−１）×（１／２ｎ−１）画像から既に転送した（１／２ｍ）×（１／２ｎ）画像と重複していない差分データを転送し、更に（１／２ｍ−２）×（１／２ｎ−２）画像から既に転送した画像と重複していない差分データを転送し、これらを順次繰り返して、最後に（１／１）×（１／１）画像の差分データを転送することを特徴とする。
【発明の効果】
【００２８】
本発明によれば、患者の拘束時間を短縮しつつ、医師の拘束時間も延長しないようにしたＸ線平面検出器、画像データ転送システム及び画像データ転送方法を提供することができる。
【図面の簡単な説明】
【００２９】
【図１】本発明の一実施の形態に係る画像データ転送システムの全体構成を示すブロック図である。
【図２】図１のＸ線平面検出器の内部構成を示すブロック図である。
【図３】本発明の一実施の形態に係る画像データ転送方法の処理手順を示すフローチャートである。
【図４】本発明の一実施の形態に係る画像データ転送方法を説明するために模式的に用いた１２画素×１２画素の画像の概略図である。
【図５】従来の画像データ転送システムの全体構成を示すブロック図である。
【図６】図５のＸ線平面検出器の内部構成を示すブロック図である。
【図７】従来の画像データ転送方法の処理手順を示すフローチャートである。
【図８】従来の他のＸ線平面検出器の内部構成を示すブロック図である。
【図９】従来の他のＸ線平面検出器を用いた画像データ転送方法の処理手順を示すフローチャートである。
【発明を実施するための形態】
【００３０】
以下、図面を参照して、本発明の実施の形態について説明する。
【００３１】
図１に、本発明の一実施の形態に係る画像データ転送システムの全体構成を示す。
【００３２】
この画像データ転送システム１０は、患者診察室１内に、Ｘ線を発生させるＸ線発生器３と、患者を通過したＸ線を検出して画像データとするＸ線平面検出器４と、Ｘ線発生器３で発生させるＸ線をコントロールするＸ線コントローラ５とを備え、他方、患者診察室１とは別室に設けられた医師診断室２内に、Ｘ線平面検出器４から転送された画像データを受信して表示等する外部機器６と、外部装置６と接続されＸ線コントローラ５を制御する制御装置７とを備えている。また、Ｘ線平面検出器４から出力される画像データは、ＬＡＮケーブル、光ファイバなどの有線、又は無線ＬＡＮなどの無線によって医師診断室２に設けられた外部機器６へ転送されるように構成されている。
【００３３】
また、Ｘ線平面検出器４は、その内部に、図２に示すように、撮影したＸ線を画像データへと変換するＸ線撮影部４ａと、その画像データを蓄積する画像蓄積部４ｂと、その画像データを分割する画像分割部４ｃと、分割された画像データを外部機器６へと転送する画像転送部４ｄとを有している。
【００３４】
ここで、画像分割部４ｃは、縦横複数の画素からなる撮影画像データに対して、縦１／２，１／４，…１／２ｍの画素、横１／２，１／４，…１／２ｎの画素からなる間引き画像データを生成後又は生成しながら、最初に最小画像である（１／２ｍ）×（１／２ｎ）からなる画像データを画像転送部４ｄから外部機器６へ転送し、次いで（１／２ｍ−１）×（１／２ｎ−１）画像から既に転送した（１／２ｍ）×（１／２ｎ）画像と重複していないデータ（差分データ）を転送する。これを順次繰り返して、最後に（１／１）×（１／１）画像（フル画像）の差分データを転送する。
【００３５】
ここでｍ，ｎは任意の自然数であり、ｍとｎは同じ値でも、違う値を選択してもどちらでも構わない。外部機器６との転送レート及び元画像の縦横比より、適宜ｍとｎを選択することができる。
【００３６】
図３に、画像データ転送システム１０の処理手順を示す。
【００３７】
先ず、Ｘ線発生器３は患者へ向けてＸ線を発生し、Ｘ線平面検出器４のＸ線撮影部４ａは患者を通して入射したＸ線の撮影を行い、画像データへと変換する（ステップＳ１１）。
【００３８】
次に、画像蓄積部４ｂは、その画像データを蓄積する（ステップＳ１２）。
【００３９】
次に、画像分割部４ｃは、その画像データを（１／２ｍ）×（１／２ｎ）に分割して間引き画像とし、画像転送部４ｄに転送する。
【００４０】
画像転送部４ｄは、この間引き画像データを外部機器６へ転送し（ステップＳ１３）、外部機器６は、間引き画像表示を行う（ステップＳ１４）。
【００４１】
次に、医師はこの画像に問題ないかを検討し（ステップＳ１５）、画像に問題ない場合は、ステップＳ１６で患者を解放し、撮影画像に問題ある場合は、制御装置７によりＸ線コントローラ５を制御して再度Ｘ線発生器３からＸ線を発生させ、ステップＳ１１からステップＳ１５を繰り返す。
【００４２】
他方、画像分割部４ｃは、画像データを（１／２ｍ）×（１／２ｎ）に分割した間引き画像を作成した後、次に（１／２ｍ−１）×（１／２ｎ−１）間引き画像を作成すべく、（１／２ｍ−１）×（１／２ｎ−１）画像から先に送った（１／２ｍ）×（１／２ｎ）画像と重複していないデータ（差分データ）を画像転送部４ｄに転送し、画像転送部４ｄは、これを受けてこの差分データを外部機器６へ転送する（ステップＳ１７）。
【００４３】
これを順次繰り返して、最後に、（１／１）×（１／１）画像（フル画像）を作成すべく、それまでに送った画像と重複していないデータ（差分データ）を画像転送部４ｄに転送し、画像転送部４ｄは、これを受けてこの差分データを外部機器６へ転送する（ステップＳ１８）。
【００４４】
最後に、ステップＳ１９で撮影画像の詳細部を検証して終了する。
【００４５】
次に、画像データ転送に関するステップＳ１３、Ｓ１７、Ｓ１８について、図４を用いて更に詳しく説明する。
【００４６】
ここでは、図４に模式的に示すような１２画素×１２画素の画像を、ｍ＝２、ｎ＝２として、（１／２ｍ）×（１／２ｎ）＝（１／４）×（１／４）＝（１／１６）に間引く方法について説明する。
【００４７】
図４において、画素Ａは縦横４画素毎に、画素Ｂは画素Ａ重複部分を除いて縦横２画素毎に配置されている。画素Ｃは残りを埋めている。
【００４８】
この結果、画素Ａは全体画像の（１／２ｍ）×（１／２ｎ）＝（１／４）×（１／４）＝（１／１６）画像に相当する。画素Ａ＋画素Ｂは（１／２ｍ）×（１／２ｎ）＝（１／２）×（１／２）＝（１／４）画像に相当し、さらに、画素Ａ＋画素Ｂ＋画素Ｃは全体画像（１／１）そのものになる。
【００４９】
画像分割部４ｃは、次の手順にて画像転送部４ｄへ画像転送を行い、更に画像転送部４ｄは外部機器６へと画像転送を行う。
【００５０】
（１）先ず、１ライン目の１番目の画素Ａを転送する。
【００５１】
（２）次に、１ライン目の５番目の画素Ａと、９番目の画素Ａを転送する。
【００５２】
（３）続いて、５ライン目の１、５、９番目の画素Ａを転送する。
【００５３】
（４）同じく９ライン目の１、５、９番目の画素Ａを転送する。この時点で、図４における画素Ａを全て転送したことになる。転送量は１／１６画像分になる。
【００５４】
（５）この時点で外部機器６側では、受信した９個の画素Ａから１／１６画像を組み立てて、表示装置等に表示する。
【００５５】
これより、図３におけるステップＳ１４の間引き画像表示が行われる。
【００５６】
（６）続いて、１ライン目の３、７、１１番目の画素Ｂを転送する。
【００５７】
（７）３ライン目の１、３、５、７、９、１１番目の画素Ｂを転送する。
【００５８】
（８）同様に、５、７、９、１１ラインの画素Ｂも転送する。この時点で図４における画素Ｂを全て転送したことになる。転送量は３／１６画像分に相当する。
【００５９】
（９）この時点で外部機器６側では、受信した２７個の画素Ｂと、最初に受信した９個の画素Ａから４／１６画像すなわち１／４画像を組み立てて、外部機器６の表示装置等に表示することが可能になる。
【００６０】
（１０）残りの１０８個の画素Ｃを転送する。転送量は３／４画像分に相当する。
【００６１】
（１１）外部機器６側では，受信した１０８個の画素Ｃと、既に受信した３６個の画素Ａ＋画素Ｂから、４／４画像すなわちフル画像（１／１画像）を組み立てて、外部機器６の表示装置等に表示することが可能になる。
【００６２】
これより、図３におけるステップＳ１９の詳細部の検証が可能となる。
【００６３】
（１）〜（１１）の手順を要約すると、最初に１／１６画像を転送し、続いて１／４画像から１／１６画像を引いた残りの３／１６画像を転送し、最後に残りの３／４画像を転送するという流れになる。
【００６４】
この方法により、フル画像に要する転送時間だけで、外部機器６側は縮小画像を表示しつつ、最終的にフル画像も受信することが可能となる。
【００６５】
この転送方法では、ステップＳ１３＋ステップＳ１７＋ステップＳ１８の合計の画像データ転送サイズは、図７におけるステップＳ５３のフル画像転送での転送サイズと一致するため、転送に要する時間も同じになる。
【００６６】
従って、患者の拘束時間を短縮しつつ、医師の拘束時間と、医療装置システムの一回当たりの作業時間は改善前のレベルを維持することが可能となる。
【００６７】
なお、上記の説明では、Ｘ線撮影の対象として患者を例として説明したが、動物等の他の生き物や非生物に対しても同様に適用することができる。
【００６８】
また、上記の説明では、縦横複数の画素からなる画像データに対して、少なくとも、縦（１／２ｍ）の画素、横（１／２ｎ）の画素（ｍ，ｎは任意の自然数）からなる間引き画像データを作成した例を示したが、縦横のそれぞれで選択される画素は、２の倍数分の１でなくても良く、例えば、縦（１／ｍ）の画素、横（１／ｎ）の画素（ｍ，ｎは任意の自然数）からなる間引き画像データを作成しても良い。
【符号の説明】
【００６９】
１・・・患者診察室
２・・・医師診断室
３・・・Ｘ線発生器
４・・・Ｘ線平面検出器
４ａ・・・Ｘ線撮影部
４ｂ・・・画像蓄積部
４ｃ・・・画像分割部
４ｄ・・・画像転送部
５・・・Ｘ線コントローラ
６・・・外部機器
７・・・制御装置
８・・・Ｘ線平面検出器
８ａ・・・Ｘ線撮影部
８ｂ・・・画像蓄積部
８ｃ・・・画像転送部
８ｄ・・・画像縮小部
【図１】
2011217264.tif 000003
【図２】
2011217264.tif 000004
【図３】
2011217264.tif 000005
【図４】
2011217264.tif 000006
【図５】
2011217264.tif 000007
【図６】
2011217264.tif 000008
【図７】
2011217264.tif 000009
【図８】
2011217264.tif 000010
【図９】
2011217264.tif 000011